(57)【要約】【課題】見物人にとって関心が高いと想定される画像が他の画像に変更されてしまうことを抑制できる技術を提供する。【解決手段】表示装置の制御方法は、第１表示面に第１画像を表示し、前記第１表示面に表示される前記第１画像を見ている第１人物の数を特定し、前記第１表示面とは異なる第２表示面に前記第１画像とは異なる第２画像を表示する他の表示装置から、前記第２表示面に表示される前記第２画像を見ている第２人物の数の特定結果を示す人数情報を受信し、前記第１人物の数と、前記第２人物の数とを比較し、前記第１人物の数が前記第２人物の数よりも少ない場合、前記第１表示面に前記第２画像を表示し、前記第１人物の数が前記第２人物の数よりも多い場合、前記第２表示面への前記第１画像の表示を指示する第１画像指示情報を前記他の表示装置へ送信する。【選択図】図７
2020134610.tif 000002
【特許請求の範囲】
【請求項１】
表示装置の制御方法であって、
第１表示面に第１画像を表示し、
前記第１表示面に表示される前記第１画像を見ている第１人物の数を特定し、
前記第１表示面とは異なる第２表示面に前記第１画像とは異なる第２画像を表示する他の表示装置から、前記第２表示面に表示される前記第２画像を見ている第２人物の数の特定結果を示す人数情報を受信し、
前記第１人物の数と、前記第２人物の数とを比較し、
前記第１人物の数が前記第２人物の数よりも少ない場合、前記第１表示面に前記第２画像を表示し、前記第１人物の数が前記第２人物の数よりも多い場合、前記第２表示面への前記第１画像の表示を指示する第１画像指示情報を前記他の表示装置へ送信する、
表示装置の制御方法。
【請求項２】
前記人数情報は、前記第２人物の数が第１閾値未満である状況と前記第２人物の数が前記第１閾値よりも大きい第２閾値を超える状況において、前記他の表示装置から送信される、
請求項１に記載の表示装置の制御方法。
【請求項３】
前記第１人物の数と前記第２人物の数との一方が前記第１閾値未満であり、前記第１人物の数と前記第２人物の数との他方が前記第２閾値を超える状況において、前記比較を実行する、
請求項２に記載の表示装置の制御方法。
【請求項４】
前記第１表示面への前記第１画像の表示を開始してから第１時間の経過後に、前記比較を実行する、
請求項１から３のいずれか１項に記載の表示装置の制御方法。
【請求項５】
前記第２表示面への前記第２画像の表示を指示する第２画像指示情報を前記他の表示装置へ送信することによって、前記他の表示装置に、前記第２表示面への前記第２画像の表示を実行させ、
前記第２画像指示情報の送信から第２時間の経過後に、前記比較を実行する、
請求項１から３のいずれか１項に記載の表示装置の制御方法。
【請求項６】
前記第１表示面および前記第２表示面は、所定面の互いに異なる部分に位置する、
請求項１から５のいずれか１項に記載の表示装置の制御方法。
【請求項７】
表示装置であって、
第１表示面に第１画像を表示する表示部と、
前記第１表示面に表示される前記第１画像を見ている第１人物の数を特定する特定部と、
前記第１表示面とは異なる第２表示面に前記第１画像とは異なる第２画像を表示する他の表示装置から、前記第２表示面に表示される前記第２画像を見ている第２人物の数の特定結果を示す人数情報を受信する通信部と、
前記第１人物の数と、前記第２人物の数とを比較する比較部と、
前記第１人物の数が前記第２人物の数よりも少ない場合、前記表示部を制御することによって前記第１表示面に前記第２画像を表示させ、前記第１人物の数が前記第２人物の数よりも多い場合、前記通信部を制御することによって、前記第２表示面への前記第１画像の表示を指示する第１画像指示情報を前記他の表示装置へ送信させる制御部と、
を含む表示装置。
【請求項８】
前記人数情報は、前記第２人物の数が第１閾値未満である状況と前記第２人物の数が前記第１閾値よりも大きい第２閾値を超える状況において、前記他の表示装置から送信される、
請求項７に記載の表示装置。
【請求項９】
前記比較部は、前記第１人物の数と前記第２人物の数との一方が前記第１閾値未満であり、前記第１人物の数と前記第２人物の数との他方が前記第２閾値を超える状況において、前記比較を実行する、
請求項８に記載の表示装置。
【請求項１０】
前記比較部は、前記表示部が前記第１表示面への前記第１画像の表示を開始してから第１時間の経過後に、前記比較を実行する、
請求項７から９のいずれか１項に記載の表示装置。
【請求項１１】
前記制御部は、前記通信部を制御することによって、前記第２表示面への前記第２画像の表示を指示する第２画像指示情報を前記他の表示装置へ送信させ、
前記他の表示装置は、前記第２画像指示情報の受信に応じて、前記第２表示面に前記第２画像を表示し、
前記比較部は、前記第２画像指示情報の送信から第２時間の経過後に、前記比較を実行する、
請求項７から９のいずれか１項に記載の表示装置。
【請求項１２】
前記第１表示面および前記第２表示面は、所定面の互いに異なる部分に位置する、
請求項７から１１のいずれか１項に記載の表示装置。
【発明の詳細な説明】
【技術分野】
【０００１】
本発明は、表示装置の制御方法および表示装置に関する。
【背景技術】
【０００２】
特許文献１には、複数の表示装置のいずれかに人が集中する状況を解消可能な技術が記載されている。特許文献１に記載の技術では、複数の表示装置のうち表示されている画像の見物人の数が最も多い表示装置においては、表示されている画像が他の画像に変更され、複数の表示装置のうち表示されている画像の見物人の数が最も少ない表示装置においては、表示されている画像が維持される。
【先行技術文献】
【特許文献】
【０００３】
【特許文献１】特開２０１１−１１８２７９号公報
【発明の概要】
【発明が解決しようとする課題】
【０００４】
見物人の数が多い画像は、見物人にとって関心が高い画像であると想定される。このため、特許文献１に記載の技術では、見物人にとって関心が高いと想定される画像が他の画像に変更されてしまい、見物人にとって好ましくない。
【課題を解決するための手段】
【０００５】
本発明に係る表示装置の制御方法の一態様は、表示装置の制御方法であって、第１表示面に第１画像を表示し、前記第１表示面に表示される前記第１画像を見ている第１人物の数を特定し、前記第１表示面とは異なる第２表示面に前記第１画像とは異なる第２画像を表示する他の表示装置から、前記第２表示面に表示される前記第２画像を見ている第２人物の数の特定結果を示す人数情報を受信し、前記第１人物の数と、前記第２人物の数とを比較し、前記第１人物の数が前記第２人物の数よりも少ない場合、前記第１表示面に前記第２画像を表示し、前記第１人物の数が前記第２人物の数よりも多い場合、前記第２表示面への前記第１画像の表示を指示する第１画像指示情報を前記他の表示装置へ送信する。
【０００６】
本発明に係る表示装置の一態様は、表示装置であって、第１表示面に第１画像を表示する表示部と、前記第１表示面に表示される前記第１画像を見ている第１人物の数を特定する特定部と、前記第１表示面とは異なる第２表示面に前記第１画像とは異なる第２画像を表示する他の表示装置から、前記第２表示面に表示される前記第２画像を見ている第２人物の数の特定結果を示す人数情報を受信する通信部と、前記第１人物の数と、前記第２人物の数とを比較する比較部と、前記第１人物の数が前記第２人物の数よりも少ない場合、前記表示部を制御することによって前記第１表示面に前記第２画像を表示させ、前記第１人物の数が前記第２人物の数よりも多い場合、前記通信部を制御することによって、前記第２表示面への前記第１画像の表示を指示する第１画像指示情報を前記他の表示装置へ送信させる制御部と、を含む。
【図面の簡単な説明】
【０００７】
【図１】第１実施形態に係るプロジェクターシステム１０００の一例を示す図である。
【図２】第１領域Ｒ１と第２領域Ｒ２の一例を示す図である。
【図３】第１プロジェクター１の一例を示す図である。
【図４】第２プロジェクター２の一例を示す図である。
【図５】第１投射部１１の一例を示す図である。
【図６】第２人物人数情報の送信動作の一例を説明するためのフローチャートである。
【図７】第１プロジェクター１の動作の一例を説明するためのフローチャートである。
【図８】第２プロジェクター２による表示動作の一例を説明するためのフローチャートである。
【図９】プロジェクターシステム１０００による投射の一例を示す図である。
【図１０】プロジェクターシステム１０００による投射の他の例を示す図である。
【図１１】プロジェクターシステム１０００による投射の他の例を示す図である。
【図１２】第１変形例による投射の一例を示す図である。
【図１３】第１変形例による投射の他の例を示す図である。
【発明を実施するための形態】
【０００８】
Ａ．第１実施形態
Ａ１．プロジェクターシステム１０００の概要
図１は、第１実施形態に係るプロジェクターシステム１０００の一例を示す図である。プロジェクターシステム１０００は、第１プロジェクター１と第２プロジェクター２とを含む。第１プロジェクター１は、マスタープロジェクターとして機能する。第２プロジェクター２は、スレーブプロジェクターとして機能する。第１プロジェクター１は、表示装置の一例である。第２プロジェクター２は、他の表示装置の一例である。なお、プロジェクターシステム１０００に含まれるプロジェクターの数は２に限らず３以上でもよい。
プロジェクターシステム１０００は、人通りのある場所、例えば、店舗内、空港、駅、広場または通路に設置され、広告等の動画を表示する。
【０００９】
第１プロジェクター１は、壁５のうち第１投射面３の上方に位置する部分に固定されている。壁５は内壁である。なお、壁５は外壁でもよい。壁５は、所定面の一例である。第２プロジェクター２は、壁５のうち第２投射面４の上方に位置する部分に固定されている。なお、第１プロジェクター１と第２プロジェクター２との各々は、机、台または床６の上に平置きされてもよい。また、第１プロジェクター１と第２プロジェクター２との各々は、天井から吊り下げられてもよい。
【００１０】
第１プロジェクター１は、第１投射面３に種々の画像を投射することによって、第１投射面３に種々の画像を表示する。図１に示される例では、第１プロジェクター１は、Ａという名称の第１動画Ｇ１を第１投射面３に表示する。第１動画Ｇ１は、いわゆる動画コンテンツである。第１動画Ｇ１は、第１画像の一例である。第１画像は、動画に限らず静止画でもよい。
第１プロジェクター１は、第１投射面３への第１動画Ｇ１の表示に代えて、Ｂという名称の第２動画Ｇ２を第１投射面３に表示できる。第２動画Ｇ２は、第１動画Ｇ１とは異なる動画コンテンツである。第２動画Ｇ２は、第２画像の一例である。第２画像は、動画に限らず静止画でもよい。
【００１１】
第２プロジェクター２は、第２投射面４に種々の画像を投射することによって、第２投射面４に種々の画像を表示する。図１に示される例では、第２プロジェクター２は、第２動画Ｇ２を第２投射面４に表示する。なお、第２プロジェクター２は、第２投射面４への第２動画Ｇ２の表示に代えて、第１動画Ｇ１を第２投射面４に表示できる。
【００１２】
第１投射面３は、第１表示面の一例である。第２投射面４は、第２表示面の一例である。第１投射面３と第２投射面４との各々は、例えば、壁５に固定されているスクリーンである。なお、第１投射面３と第２投射面４の各々は、スクリーンに限らず、例えば、壁５の一部分またはホワイトボードでもよい。図１に示される例では、第１投射面３と第２投射面４とは、壁５の互いに異なる部分に位置する。第１投射面３と第２投射面４との大きさは、相互に等しい。なお、第１投射面３と第２投射面４との大きさは、相互に異なってもよい。
【００１３】
第１プロジェクター１は、第１投射面３に表示されている第１動画Ｇ１を見ている人の数を特定する。以下、第１投射面３に表示されている第１動画Ｇ１を見ている人を「第１人物」と称する。第１プロジェクター１は、第１人物が存在すると想定される第１領域Ｒ１を撮像し、第１領域Ｒ１の撮像結果に基づいて、第１人物の数を特定する。
【００１４】
第２プロジェクター２は、第２投射面４に表示されている第２動画Ｇ２を見ている人の数を特定する。以下、第２投射面４に表示されている第２動画Ｇ２を見ている人を「第２人物」と称する。第２プロジェクター２は、第２人物が存在すると想定される第２領域Ｒ２を撮像し、第２領域Ｒ２の撮像結果に基づいて、第２人物の数を特定する。
【００１５】
Ａ２．撮像される領域
図２は、第１領域Ｒ１と第２領域Ｒ２の一例を示す図である。第１領域Ｒ１は、第１投射面３の前方に設けられている。第２領域Ｒ２は、第２投射面４の前方に設けられている。図２に示す例では、第１領域Ｒ１と第２領域Ｒ２との大きさは相互に等しい。なお、第１領域Ｒ１と第２領域Ｒ２との大きさは、相互に異なってもよい。
【００１６】
Ａ３．第１プロジェクター１の一例
図３は、第１プロジェクター１の一例を示す図である。第１プロジェクター１は、第１投射部１１と、第１撮像部１２と、第１通信部１３と、第１記憶部１４と、第１処理部１５と、を含む。
【００１７】
第１投射部１１は、第１投射面３に種々の画像を投射することによって、第１投射面３に種々の画像を表示する。例えば、第１投射部１１は、第１動画Ｇ１を第１投射面３に投射する。また、第１投射部１１は、第１動画Ｇ１に代えて第２動画Ｇ２を第１投射面３に投射する。第１投射部１１は、表示部の一例である。
【００１８】
第１撮像部１２は、例えば、カメラである。第１撮像部１２は、レンズ等の光学系と、光学系にて集光される光を電気信号に変換する撮像素子と、を含む。撮像素子は、例えば、ＣＣＤ（Charge Coupled Device）イメージセンサーである。撮像素子は、ＣＣＤイメージセンサーに限らず、例えば、ＣＭＯＳ（Complementary Metal Oxide Semiconductor）イメージセンサーでもよい。第１撮像部１２は、第１領域Ｒ１を撮像することによって第１撮像画像を示す第１撮像データを生成する。
【００１９】
第１通信部１３は、第２プロジェクター２と通信する。第１通信部１３は、通信部の一例である。第１通信部１３と第２プロジェクター２との通信は、例えば、無線ＬＡＮ（Local Area Network）通信によって実行される。なお、第１通信部１３と第２プロジェクター２との通信は、無線ＬＡＮ通信に限らず、例えば、有線通信によって実行されてもよい。
【００２０】
第１通信部１３は、第２プロジェクター２から、第２人物の数の特定結果を示す人数情報を受信する。以下、第２人物の数の特定結果を示す人数情報を「第２人物人数情報」と称する。
【００２１】
第１記憶部１４は、第１処理部１５が読み取り可能な記録媒体である。第１記憶部１４は、例えば、不揮発性メモリーと揮発性メモリーとによって構成される。不揮発性メモリーとしては、例えば、ＲＯＭ（Read Only Memory）、ＥＰＲＯＭ（Erasable Programmable Read Only Memory）およびＥＥＰＲＯＭ（Electrically Erasable Programmable Read Only Memory）が挙げられる。揮発性メモリーとしては、例えば、ＲＡＭ（Random Access Memory）が挙げられる。
第１記憶部１４は、第１処理部１５によって実行される制御プログラムと、第１処理部１５が使用する各種のデータを記憶する。第１処理部１５が使用する各種のデータは、第１動画Ｇ１を示す第１画像情報と、第２動画Ｇ２を示す第２画像情報と、を含む。
【００２２】
第１処理部１５は、第１プロジェクター１および第２プロジェクター２を制御する。第１処理部１５は、例えば、単数または複数のプロセッサーによって構成される。一例を挙げると、第１処理部１５は、ＣＰＵ（Central Processing Unit）によって構成される。第１処理部１５の機能の一部または全部は、ＤＳＰ（Digital Signal Processor）、ＡＳＩＣ（Application Specific Integrated Circuit）、ＰＬＤ（Programmable Logic Device）、ＦＰＧＡ（Field Programmable Gate Array）等のハードウェアによって構成されてもよい。第１処理部１５は、各種の処理を並列的又は逐次的に実行する。
【００２３】
第１処理部１５は、第１記憶部１４から制御プログラムを読み取り実行することによって、第１特定部１５１、比較部１５２および第１制御部１５３として機能する。
【００２４】
第１特定部１５１は、第１人物の数を特定する。第１特定部１５１は、特定部の一例である。例えば、第１特定部１５１は、第１撮像部１２が生成する第１撮像データに基づいて、第１人物の数を特定する。
【００２５】
比較部１５２は、第１特定部１５１が特定する第１人物の数と、第２人物人数情報が示す第２人物の数と、を比較する。一例を挙げると、比較部１５２は、第１人物の数と第２人物の数との一方が第１閾値未満であり、第１人物の数と第２人物の数との他方が第２閾値を超える状況において、第１人物の数と第２人物の数とを判断する。第２閾値は、第１閾値よりも大きい。第１閾値は、例えば５である。第２閾値は、例えば１５である。なお、第１閾値と第２閾値は、上述の値に限らず、第２閾値が第１閾値よりも大きいという条件を満たす範囲において適宜変更可能である。
【００２６】
第１制御部１５３は、第１プロジェクター１および第２プロジェクター２を制御する。例えば、第１制御部１５３は、第１プロジェクター１が第１投射面３に表示する画像と、第２プロジェクター２が第２投射面４に表示する画像と、の各々を決定する。
【００２７】
一例を挙げると、第１制御部１５３は、プロジェクターシステム１０００の起動に応じて、第１通信部１３を制御することによって、第２投射面４への第２動画Ｇ２の表示を指示する第２画像指示情報を第２プロジェクター２へ送信する。第２プロジェクター２は、第２画像指示情報の受信に応じて、第２動画Ｇ２を第２投射面４に投射する。
また、第１制御部１５３は、プロジェクターシステム１０００の起動に応じて、第１記憶部１４から第１画像情報を読み出し、第１画像情報を第１投射部１１に提供する。第１投射部１１は、第１画像情報が提供されると、第１画像情報を用いて第１動画Ｇ１を第１投射面３に投射する。
【００２８】
第１人物の数が第２人物の数よりも少ない場合、具体的には、比較部１５２における比較結果が、第１人物の数が第２人物の数よりも少ないことを示す場合、第１制御部１５３は、第１投射部１１を制御することによって、第１投射面３に第２動画Ｇ２を表示させる。具体的には、第１制御部１５３は、第１記憶部１４から第２画像情報を読み出し、第２画像情報を第１投射部１１に提供する。第１投射部１１は、第２画像情報が提供されると、第２画像情報を用いて第２動画Ｇ２を第１投射面３に投射する。
【００２９】
第１人物の数が第２人物の数よりも多い場合、具体的には、比較部１５２における比較結果が、第１人物の数が第２人物の数よりも多いことを示す場合、第１制御部１５３は、第１通信部１３を制御することによって、第２投射面４への第１動画Ｇ１の表示を指示する第１画像指示情報を第２プロジェクター２へ送信する。第２プロジェクター２は、第１画像指示情報の受信に応じて、第１動画Ｇ１を第２投射面４に投射する。
【００３０】
第１人物の数が第２人物の数と等しい場合、第１制御部１５３は、第１プロジェクター１による表示と、第２プロジェクター２による表示と、を維持する。
【００３１】
第１特定部１５１、比較部１５２および第１制御部１５３の各々は、ＤＳＰ、ＡＳＩＣ、ＰＬＤ、ＦＰＧＡ等のハードウェア、さらに言えば回路によって構成されてもよい。
【００３２】
Ａ４．第２プロジェクター２の一例
図４は、第２プロジェクター２の一例を示す図である。第２プロジェクター２は、第２投射部２１と、第２撮像部２２と、第２通信部２３と、第２記憶部２４と、第２処理部２５と、を含む。
【００３３】
第２投射部２１は、第２投射面４に種々の画像を投射することによって、第２投射面４に種々の画像を表示する。例えば、第２投射部２１は、第２動画Ｇ２を第２投射面４に投射する。また、第２投射部２１は、第２動画Ｇ２に代えて第１動画Ｇ１を第２投射面４に投射する。
【００３４】
第２撮像部２２は、例えば、カメラである。第２撮像部２２は、第１撮像部１２と同様に、レンズ等の光学系と、光学系にて集光される光を電気信号に変換する撮像素子と、を含む。第２撮像部２２は、第２領域Ｒ２を撮像することによって第２撮像画像を示す第２撮像データを生成する。
【００３５】
第２通信部２３は、第１プロジェクター１と通信する。第２通信部２３と第１プロジェクター１との通信は、上述の第１通信部１３と第２プロジェクター２との通信を意味する。第２通信部２３は、第１プロジェクター１へ第２人物人数情報を送信する。
【００３６】
第２記憶部２４は、第２処理部２５が読み取り可能な記録媒体である。第２記憶部２４は、例えば、不揮発性メモリーと揮発性メモリーとによって構成される。第２記憶部２４は、第２処理部２５によって実行される制御プログラムと、第２処理部２５が使用する各種のデータを記憶する。第２処理部２５が使用する各種のデータは、第１動画Ｇ１を示す第１画像情報と、第２動画Ｇ２を示す第２画像情報と、を含む。
【００３７】
第２処理部２５は、第２プロジェクター２を制御する。第２処理部２５は、例えば、単数または複数のプロセッサーによって構成される。一例を挙げると、第２処理部２５は、ＣＰＵによって構成される。第２処理部２５の機能の一部または全部は、ＤＳＰ、ＡＳＩＣ、ＰＬＤ、ＦＰＧＡ等のハードウェアによって構成されてもよい。第２処理部２５は、各種の処理を並列的又は逐次的に実行する。
【００３８】
第２処理部２５は、第２記憶部２４から制御プログラムを読み取り実行することによって、第２特定部２５１および第２制御部２５３として機能する。
【００３９】
第２特定部２５１は、第２人物の数を特定する。例えば、第２特定部２５１は、第２撮像部２２が生成する第２撮像データに基づいて、第２人物の数を特定する。第２特定部２５１が第２人物の数を特定する手法は、第１特定部１５１が第１人物の数を特定する手法と同様である。なお、第２特定部２５１が第２人物の数を特定する手法は、第１特定部１５１が第１人物の数を特定する手法と異なってもよい。
【００４０】
第２制御部２５３は、第２プロジェクター２を制御する。例えば、第２制御部２５３は、第２特定部２５１による第２人物の数の特定結果を示す第２人物人数情報を生成する。第２制御部２５３は、第２通信部２３を制御することによって、第２人物人数情報を第１プロジェクター１へ送信させる。
また、第２制御部２５３は、第２通信部２３が第１プロジェクター１から第１画像指示情報を受信すると、第２記憶部２４から第１画像情報を読み出し、第１画像情報を第２投射部２１に提供する。第２投射部２１は、第１画像情報の提供に応じて、第１動画Ｇ１を第２投射面４に投射する。
また、第２制御部２５３は、第２通信部２３が第１プロジェクター１から第２画像指示情報を受信すると、第２記憶部２４から第２画像情報を読み出し、第２画像情報を第２投射部２１に提供する。第２投射部２１は、第２画像情報の提供に応じて、第２動画Ｇ２を第２投射面４に投射する。
【００４１】
第２特定部２５１および第２制御部２５３の各々は、ＤＳＰ、ＡＳＩＣ、ＰＬＤ、ＦＰＧＡ等のハードウェア、さらに言えば回路によって構成されてもよい。
【００４２】
Ａ５．第１投射部１１および第２投射部２１の一例
第１投射部１１と第２投射部２１とは相互に同一構成である。よって、説明の簡略化のため、第１投射部１１と第２投射部２１のうち第１投射部１１のみを説明する。
【００４３】
図５は、第１投射部１１の一例を示す図である。第１投射部１１は、画像処理部１１１と、ライトバルブ駆動部１１２と、光源１１３と、赤色用液晶ライトバルブ１１４Ｒと、緑色用液晶ライトバルブ１１４Ｇと、青色用液晶ライトバルブ１１４Ｂと、投射光学系１１５と、を含む。以下、赤色用液晶ライトバルブ１１４Ｒと、緑色用液晶ライトバルブ１１４Ｇと、青色用液晶ライトバルブ１１４Ｂとを相互に区別する必要がない場合、これらを「液晶ライトバルブ１１４」と称する。
【００４４】
画像処理部１１１は、例えば、イメージプロセッサー等の処理装置である。画像処理部１１１は、１または複数の処理装置で構成される。画像処理部１１１は、第１処理部１５から提供される画像情報に対して画像処理を施すことによって画像信号を生成する。
【００４５】
画像処理部１１１が実行する画像処理は、例えば、解像度変換処理を包含する。解像度変換処理では、画像処理部１１１は、画像情報の解像度を、例えば液晶ライトバルブ１１４の解像度に変換する。画像処理部１１１は、解像度変換処理に加えて、他の画像処理、例えばガンマ補正処理を実行してもよい。
【００４６】
ライトバルブ駆動部１１２は、例えば、ドライバーである。ライトバルブ駆動部１１２は、画像処理部１１１から入力される画像信号に基づいて液晶ライトバルブ１１４を駆動する。
【００４７】
光源１１３は、例えば、ＬＥＤ（Light Emitting Diode）である。なお、光源１１３は、ＬＥＤに限らず、例えば、キセノンランプ、超高圧水銀ランプ、またはレーザー光源等でもよい。光源１１３から射出される光は、不図示のインテグレーター光学系によって輝度分布のばらつきが低減され、その後、不図示の色分離光学系によって光の３原色である赤色、緑色、青色の色光成分に分離される。赤色の色光成分は赤色用液晶ライトバルブ１１４Ｒに入射する。緑色の色光成分は緑色用液晶ライトバルブ１１４Ｇに入射する。青色の色光成分は青色用液晶ライトバルブ１１４Ｂに入射する。
【００４８】
液晶ライトバルブ１１４は、一対の透明基板間に液晶が存在する液晶パネル等によって構成される。液晶ライトバルブ１１４は、マトリクス状に位置する複数の画素１１４ｐを含む矩形の画素領域１１４ａを有する。液晶ライトバルブ１１４では、液晶に対して画素１１４ｐごとに駆動電圧が印加される。ライトバルブ駆動部１１２が、画像信号に基づく駆動電圧を各画素１１４ｐに印加すると、各画素１１４ｐは、駆動電圧に基づく光透過率に設定される。光源１１３から射出される光は、画素領域１１４ａを通ることで変調され画像信号に基づく画像が色光ごとに形成される。液晶ライトバルブ１１４は、光変調装置の一例である。
【００４９】
各色の画像は、図示しない色合成光学系によって画素１１４ｐごとに合成され、カラー画像が生成される。カラー画像は、投射光学系１１５を介して投射される。
【００５０】
Ａ６．第２プロジェクターによる第２人物人数情報の送信動作の一例
図６は、第２プロジェクター２による第２人物人数情報の送信動作の一例を説明するためのフローチャートである。図６に例示される動作は、第１特定時間ごとに実行される。第１特定時間は、例えば１０分である。なお、第１特定時間は、１０分に限らず、１０分よりも長くてもよいし短くてもよい。以下では、第２プロジェクター２は、第１プロジェクター１から送信される第２画像指示情報の受信に応じて、第２動画Ｇ２を第２投射面４に投射しているとする。
【００５１】
ステップＳ１０１において第２撮像部２２は、第２領域Ｒ２を撮像することによって第２撮像画像を示す第２撮像データを生成する。第２撮像画像には、第２領域Ｒ２に位置する第２人物が表される。
【００５２】
続いて、ステップＳ１０２において第２特定部２５１は、第２撮像データに基づいて、第２人物の数を特定する。例えば、第２特定部２５１は、第２撮像データが示す第２撮像画像に写っている人の顔を検出し、検出した人の顔の数を、第２人物の数として特定する。なお、第２特定部２５１は、検出した人の顔のうち、第２投射面４に視線が向いている顔を特定し、第２投射面４に視線が向いている顔の数を、第２人物の数として特定してもよい。
【００５３】
続いて、第２制御部２５３は、ステップＳ１０３において第２人物の数が第１閾値よりも少ない場合、ステップＳ１０４において第２人物の数を示す第２人物人数情報を生成する。
【００５４】
第２制御部２５３は、第２人物人数情報を生成すると、ステップＳ１０５において第２通信部２３を制御することによって、第２人物人数情報を第１プロジェクター１へ送信させる。第１プロジェクター１では、第１通信部１３が第２人物人数情報を受信すると、第１制御部１５３は、第１通信部１３が受信した第２人物人数情報を第１記憶部１４に記憶する。
【００５５】
ステップＳ１０３において第２人物の数が第１閾値以上である場合、第２制御部２５３は、ステップＳ１０６において第２人物の数が第２閾値を超えているか否かを判断する。
【００５６】
ステップＳ１０６において第２人物の数が第２閾値を超えている場合、第２制御部２５３は、ステップＳ１０４およびステップＳ１０５を実行する。
【００５７】
一方、ステップＳ１０６において第２人物の数が第２閾値を超えていない場合、すなわち、第２人物の数が第１閾値以上第２閾値以下である場合、ステップＳ１０４およびステップＳ１０５が実行されずに、図６に示す処理が終了する。
【００５８】
なお、図６において、ステップＳ１０３およびステップＳ１０６が省略されてもよい。この場合、第２プロジェクター２は、第２人物の数にかかわらず、第２人物人数情報を第１プロジェクター１に送信する。このため、第２プロジェクター２の動作を簡略化できる。
【００５９】
一方、図６において、ステップＳ１０３およびステップＳ１０６が省略されない場合、第２プロジェクター２は、第２人物の数が第１閾値よりも少ない状況と、第２人物の数が第２閾値を超える状況において、第２人物人数情報を第１プロジェクター１に送信する。つまり、第２人物の数が第１閾値以上第２閾値以下である場合、第２プロジェクター２は、第２人物人数情報を送信しない。
このため、第２プロジェクター２が、第２人物の数にかかわらずに第２人物人数情報を第１プロジェクター１に送信する構成に比べて、第２人物人数情報を送信する頻度を低くでき、通信の負荷を低減できる。
【００６０】
Ａ７．第１プロジェクター１の動作の一例
図７は、第１プロジェクター１の動作の一例を説明するためのフローチャートである。図７に例示される動作は、第２特定時間ごとに実行される。第２特定時間は、例えば１０分である。なお、第２特定時間は、１０分に限らず、１０分よりも長くてもよいし短くてもよい。
以下では、説明の簡略化のため、第１プロジェクター１が第１動画Ｇ１を第１投射面３に投射しており、第２プロジェクター２が第２画像指示情報に応じて第２動画Ｇ２を第２投射面４に投射している場合の動作を説明する。
【００６１】
ステップＳ２０１において第１撮像部１２は、第１領域Ｒ１を撮像することによって第１撮像画像を示す第１撮像データを生成する。第１撮像画像には、第１領域Ｒ１に位置する第１人物が表される。
【００６２】
続いて、ステップＳ２０２において第１特定部１５１は、第１撮像データに基づいて、第１人物の数を特定する。例えば、第１特定部１５１は、第１撮像データが示す第１撮像画像に写っている人の顔を検出し、検出した人の顔の数を、第１人物の数として特定する。なお、第１特定部１５１は、検出した人の顔のうち、第１投射面３に視線が向いている顔を特定し、第１投射面３に視線が向いている顔の数を、第１人物の数として特定してもよい。
【００６３】
続いて、ステップＳ２０３において比較部１５２は、第１特定部１５１によって特定された第１人物の数と、第１記憶部１４に記憶されている最新の第２人物人数情報が示す第２人物の数と、のうち一方が、第１閾値未満であるか否かを判断する。
以下、説明の簡略化のため、第１特定部１５１によって特定された第１人物の数を、単に「第１人物の数」と称し、第１記憶部１４に記憶されている最新の第２人物人数情報が示す第２人物の数を、単に「第２人物の数」と称する。
【００６４】
比較部１５２は、ステップＳ２０３において第１人物の数と第２人物の数とのうち一方が第１閾値未満で無い場合、図７に示す処理を終了する。
一方、比較部１５２は、ステップＳ２０３において第１人物の数と第２人物の数とのうち一方が第１閾値未満である場合、ステップＳ２０４において第１人物の数と第２人物の数とのうち他方が第２閾値を超えるか否かを判断する。
【００６５】
比較部１５２は、ステップＳ２０４において第１人物の数と第２人物の数とのうち他方が第２閾値を超えない場合、図７に示す処理を終了する。
一方、比較部１５２は、ステップＳ２０４において第１人物の数と第２人物の数とのうち他方が第２閾値を超えると判断すると、ステップＳ２０５において第１動画Ｇ１の投射開始タイミングから第１時間経過しているか否かを判断する。第１時間は、例えば、５分である。なお、第１時間は５分に限らず５分よりも長くてもよいし短くてもよい。また、第１時間は、第１動画Ｇ１である動画コンテンツの時間的な長さよりも短くてもよい。
【００６６】
比較部１５２は、ステップＳ２０５において第１動画Ｇ１の投射開始タイミングから第１時間経過していない場合、図７に示す処理を終了する。
一方、比較部１５２は、ステップＳ２０５において第１動画Ｇ１の投射開始タイミングから第１時間経過していると判断すると、ステップＳ２０６において第２画像指示情報の送信タイミングから第２時間経過しているか否かを判断する。第２時間は、例えば、５分である。なお、第２時間は５分に限らず５分よりも長くてもよいし短くてもよい。また、第２時間は、第２動画Ｇ２である動画コンテンツの時間的な長さよりも短くてもよい。
【００６７】
比較部１５２は、ステップＳ２０６において第２画像指示情報の送信タイミングから第２時間経過していない場合、図７に示す処理を終了する。
一方、比較部１５２は、ステップＳ２０６において第２画像指示情報の送信タイミングから第２時間経過していると判断すると、ステップＳ２０７において第１人物の数と第２人物の数とを比較する。
【００６８】
ステップＳ２０８において第１人物の数が第２人物の数よりも少ない場合、ステップＳ２０９において第１制御部１５３は、第１投射部１１に提供する画像情報を、第１画像情報から第２画像情報に変更することによって、第１投射部１１に、第２動画Ｇ２を第１投射面３へ投射させる。このため、第１プロジェクター１と第２プロジェクター２の各々は、第２動画Ｇ２を投射することになる。
【００６９】
ステップＳ２０８において第１人物の数が第２人物の数よりも多い場合、ステップＳ２１０において第１制御部１５３は、第１通信部１３を制御することによって、第２投射面４への第１動画Ｇ１の表示を指示する第１画像指示情報を第２プロジェクター２へ送信させる。第２プロジェクター２は、第１画像指示情報の受信に応じて、第１動画Ｇ１を第２投射面４に投射する。このため、第１プロジェクター１と第２プロジェクター２の各々は、第１動画Ｇ１を投射することになる。
【００７０】
Ａ８．第２プロジェクター２による表示動作の一例
図８は、第２プロジェクター２による表示動作の一例を説明するためのフローチャートである。
【００７１】
ステップＳ３０１において第２通信部２３が、第１プロジェクター１から第１画像指示情報を受信すると、第２制御部２５３は、第２記憶部２４から第１画像情報を読み出し、第１画像情報を第２投射部２１に提供する。ステップＳ３０２において第２投射部２１は、第１画像情報の提供に応じて、第１動画Ｇ１を第２投射面４に投射する。
【００７２】
一方、第２通信部２３が、ステップＳ３０１において第１画像指示情報を受信せずに、ステップＳ３０３において第２画像指示情報を受信する場合、第２制御部２５３は、第２記憶部２４から第２画像情報を読み出し、第２画像情報を第２投射部２１に提供する。ステップＳ３０４において第２投射部２１は、第２画像情報の提供に応じて、第２動画Ｇ２を第２投射面４に投射する。
【００７３】
Ａ９．プロジェクターシステム１０００の表示の変遷例
次に、第１人物の数と第２人物の数との大小関係に応じたプロジェクターシステム１０００による表示の変遷例を説明する。
【００７４】
プロジェクターシステム１０００の起動時では、図９に例示されるように、第１投射面３に第１動画Ｇ１が表示され、第２投射面４に第２動画Ｇ２が表示される。
【００７５】
図９に例示される状況において、第１人物の数が第２閾値を超え、第２人物の数が第１閾値未満になると、図１０に例示されるように、第１投射面３と第２投射面４との両方に第１動画Ｇ１が表示される。
このため、第２投射面４に表示される動画を、見物人にとって関心が低く見物人が興味を惹かれ難い動画から、見物人にとって関心が高く見物人が興味を惹かれる動画に切り替えることができる。
【００７６】
一方、図９に例示される状況において、第１人物の数が第１閾値未満となり、第２人物の数が第２閾値を超えると、図１１に例示されるように、第１投射面３と第２投射面４との両方に第２動画Ｇ２が表示される。
このため、第２投射面４に表示される動画を、見物人にとって関心が低く見物人が興味を惹かれ難い動画から、見物人にとって関心が高く見物人が興味を惹かれる動画に切り替えることができる。
【００７７】
なお、プロジェクターシステム１０００が表示する動画の見物人が日時によって替わる可能性がある場合、見物人が替わるため、見物人にとって関心が高い動画が替わる可能性がある。このため、第１投射面３に表示される動画と第２投射面４に表示される動画が同じになってから所定時間が経過した後に、図９に例示される状況に戻されてもよい。
【００７８】
Ａ１０．第１実施形態についてのまとめ
本実施形態に係る表示装置の制御方法および表示装置によれば、第１投射部１１は、第１投射面３に第１動画Ｇ１を表示する。第１特定部１５１は、第１投射面３に表示される第１動画Ｇ１を見ている第１人物の数を特定する。第１通信部１３は、第２プロジェクター２から、第２投射面４に表示される第２動画Ｇ２を見ている第２人物の数の特定結果を示す第２人物人数情報を受信する。比較部１５２は、第１人物の数と第２人物の数とを比較する。第１制御部１５３は、第１人物の数が第２人物の数よりも少ない場合、第１投射部１１を制御することによって第１投射面３に第２動画Ｇ２を表示させる。第１制御部１５３は、第１人物の数が第２人物の数よりも多い場合、第１通信部１３を制御することによって、第２投射面４への第１動画Ｇ１の表示を指示する第１画像指示情報を第２プロジェクター２へ送信させる。
このため、見物人にとって関心が高いと想定される画像が他の画像に変更されてしまうことを抑制できる。また、見物人にとって関心が低く見物人が興味を惹かれ難い動画の表示を、見物人にとって関心が高く見物人が興味を惹かれる動画の表示に切り替えることができる。
【００７９】
第２人物人数情報は、第２人物の数が第１閾値未満である状況と第２人物の数が第１閾値よりも大きい第２閾値を超える状況において、第２プロジェクター２から送信される。
このため、第２人物の数にかかわらずに第２人物人数情報を第１プロジェクター１に送信する構成に比べて、第１通信部１３が第２人物人数情報を受信する頻度を低くでき、通信の負荷を低減できる。
【００８０】
比較部１５２は、第１人物の数と第２人物の数との一方が第１閾値未満であり、第１人物の数と第２人物の数との他方が第２閾値を超える状況において、比較を実行する。
このため、第１人物の数と第２人物の数との差が、例えば第１閾値と第２閾値との差以下である場合、比較は行われず、第１動画Ｇ１と第２動画Ｇ２との表示が維持される。よって、頻繁に表示が切り替わることを抑制可能になる。
【００８１】
第１動画Ｇ１の表示を開始した直後は、第１動画Ｇ１に興味のある人が、まだ、第１動画Ｇ１の表示に気づいておらず、第１動画Ｇ１を見ていない可能性がある。このため、第１動画Ｇ１の表示を開始した直後は、第１特定部１５１の特定結果、つまり第１人物の数が、第１動画Ｇ１に対する人の興味の度合いを表していない可能性がある。
比較部１５２は、第１投射部１１が第１投射面３への第１動画Ｇ１の表示を開始してから第１時間の経過後に、比較を実行する。このため、比較部１５２は、第１動画Ｇ１に対する人の興味の度合いを表している可能性の高い第１人物の数を用いて、比較を実行できる。よって、見物人にとって関心が低く見物人が興味を惹かれ難い動画の表示を、見物人にとって関心が高く見物人が興味を惹かれる動画の表示に切り替えることができる。
【００８２】
第２動画Ｇ２の表示を開始した直後は、第２動画Ｇ２に興味のある人が、まだ、第２動画Ｇ２の表示に気づいておらず、第２動画Ｇ２を見ていない可能性がある。このため、第２動画Ｇ２の表示を開始した直後は、第２人物人数情報が示す第２人物の数が、第２動画Ｇ２に対する人の興味の度合いを表していない可能性がある。
比較部１５２は、第２プロジェクター２への第２画像指示情報の送信から第２時間の経過後に、比較を実行する。このため、比較部１５２は、第２動画Ｇ２に対する人の興味の度合いを表している可能性の高い第２人物の数を用いて、比較を実行できる。よって、見物人にとって関心が低く見物人が興味を惹かれ難い動画の表示を、見物人にとって関心が高く見物人が興味を惹かれる動画の表示に切り替えることができる。
【００８３】
第１投射面３および第２投射面４は、所定面の一例である壁５の互いに異なる部分に位置する。このため、第１人物は、第１投射面３に表示される第１動画Ｇ１と、第２投射面４に表示される第２動画Ｇ２とを、見比べた上で第１動画Ｇ１を見ており、第２人物は、第１投射面３に表示される第１動画Ｇ１と、第２投射面４に表示される第２動画Ｇ２とを、見比べた上で第２動画Ｇ２を見ている可能性が高くなる。よって、第１人物の数と第２人物の数との差は、第１動画Ｇ１への興味の高さと、第２動画Ｇ２への興味の高さと、の相対的な差を表す可能性が高い。したがって、第１投射面３および第２投射面４が、所定面の互いに異なる部分に位置する状況において、第１人物の数と第２人物の数との比較結果によって、第１投射面３および第２投射面４の各々に表示される動画を変更することによって、見物人にとって関心が低く見物人が興味を惹かれ難い動画の表示を、見物人にとって関心が高く見物人が興味を惹かれる動画の表示に切り替えることができる。
【００８４】
Ｂ．変形例
以上に例示した実施形態の変形の態様を以下に例示する。以下の例示から任意に選択された２個以上の態様を、相互に矛盾しない範囲において適宜に併合してもよい。
【００８５】
Ｂ１．第１変形例
第１実施形態において、プロジェクターシステム１０００は、１台の第１プロジェクター１と、複数台の第２プロジェクター２と、を含んでもよい。さらに、プロジェクターシステム１０００に含まれる各プロジェクターは、別々の動画を投射し、かつ、プロジェクターシステム１０００に含まれる他のプロジェクターが投射する画像を投射可能であってもよい。この場合、第２人物の数が第２プロジェクター２の数だけ存在し、図７に示す動作は以下のように変更される。
【００８６】
ステップＳ２０３では、比較部１５２は、第１人物の数と第２人物の数との中に、第１閾値未満の数が存在するか否かを判定する。
【００８７】
ステップＳ２０４では、比較部１５２は、第１人物の数と第２人物の数との中に、第２閾値を超える数が存在するか否かを判定する。
【００８８】
ステップＳ２０７では、比較部１５２は、第１人物の数と第２人物の数とのうち第１閾値未満の数と、第１人物の数と第２人物の数とのうち第２閾値を超える数と、を比較する。
例えば、プロジェクターシステム１０００が１台の第１プロジェクター１と２台の第２プロジェクター２を含む状況において、１つの第１人物の数と２つの第２人物の数との中に第１閾値未満の数として第１人物の数のみが存在し、１つの第１人物の数と２つの第２人物の数との中に第２閾値を超える数として１つの第２人物の数のみが存在したとする。この状況においては、ステップＳ２０７にて比較部１５２は、第１閾値未満の数である１つの第１人物の数と、第２閾値を超える数である１つの第２人物の数を比較する。
【００８９】
ステップＳ２０８では、比較部１５２は、第１人物の数が第１閾値未満であるか否かを判断する。
【００９０】
ステップＳ２０９では、第１制御部１５３は、複数の第２プロジェクター２のうち、第２人物の数が第２閾値を超えている第２プロジェクター２に投射させている動画を、第１投射部１１に投射させる。なお、第２人物の数が第２閾値を超えている複数の第２プロジェクター２が存在する場合、第１制御部１５３は、第２人物の数が最も多い第２プロジェクター２に投射させている動画を、第１投射部１１に投射させる。
【００９１】
ステップＳ２１０では、第１制御部１５３は、第１人物の数と第２人物の数のうち第２閾値を超えるものの中で最大の数を特定し、当該最大の数に対応するプロジェクターに投射させている動画の投射を指示する指示情報を、第２人物の数が第１閾値未満である第２プロジェクター２に対して第１通信部１３から送信する。
【００９２】
ここで、プロジェクターシステム１０００が、第１プロジェクター１と、第２プロジェクター２と、第２プロジェクター２と同一構成の第３プロジェクターを有しているとする。そして、図１２に例示されるように、第１投射面３に第１動画Ｇ１が表示され、第２投射面４に第２動画Ｇ２が表示され、第３プロジェクターが第３投射面７にＣという名称の第３動画Ｇ３を表示しているとする。
【００９３】
図１２に例示される状況において、第１人物の数が第２閾値を超え、第２プロジェクター２の第２人物の数が第１閾値未満になり、第３プロジェクターの第２人物の数が第１閾値以上第２閾値未満になると、図１３に例示されるように、第１投射面３と第２投射面４との両方に第１動画Ｇ１が表示され、第３投射面７における第３動画Ｇ３の表示は維持される。
このため、第２投射面４に表示される動画を、見物人にとって関心が低く見物人が興味を惹かれ難い動画から、見物人にとって関心が高く見物人が興味を惹かれる動画に切り替えることができる。また、第１閾値以上の見物人が存在する第３動画Ｇ３の表示は維持されるため、見物人にとって関心があると想定される画像が他の画像に変更されてしまうことを抑制できる。
【００９４】
Ｂ２．第２変形例
第１実施形態および第１変形例において、第１特定部１５１は、第１撮像データに基づいて第１人物の数を特定する構成に限らない。例えば、第１特定部１５１は、第１領域Ｒ１に存在する人を検出する赤外線センサーの出力に基づいて、第１人物の数を特定してもよい。また、第１特定部１５１は、第１領域Ｒ１の床６に配置されている重量センサーの出力に基づいて、第１人物の数を特定してもよい。例えば、第１特定部１５１は、重量センサーの出力が示す重量を、予め決定された一人分の重量で除算することによって、第１人物の数を特定してもよい。
【００９５】
また、第１実施形態および第１変形例において、第２特定部２５１は、第２撮像データに基づいて第２人物の数を特定する構成に限らない。例えば、第２特定部２５１は、第２領域Ｒ２に存在する人を検出する赤外線センサーの出力に基づいて、第２人物の数を特定してもよい。また、第２特定部２５１は、第２領域Ｒ２の床６に配置されている重量センサーの出力に基づいて、第２人物の数を特定してもよい。例えば、第２特定部２５１は、重量センサーの出力が示す重量を、予め決定された一人分の重量で除算することによって、第２人物の数を特定してもよい。
【００９６】
Ｂ３．第３変形例
第１実施形態および第１変形例〜第２変形例において、光変調装置の一例として液晶ライトバルブ１１４が用いられたが、光変調装置は液晶ライトバルブに限らず適宜変更可能である。例えば、光変調装置は、３枚の反射型の液晶パネルを用いた構成であってもよい。また、光変調装置は、１枚の液晶パネルを用いた方式、３枚のデジタルミラーデバイス（ＤＭＤ）を用いた方式、１枚のデジタルミラーデバイスを用いた方式等の構成であってもよい。光変調装置として１枚のみの液晶パネルまたはＤＭＤが用いられる場合、色分離光学系および色合成光学系に相当する部材は不要である。また、液晶パネルおよびＤＭＤ以外にも、光源１１３が発した光を変調可能な構成は、光変調装置として採用できる。
【００９７】
Ｂ４．第４変形例
第１実施形態および第１変形例〜第３変形例において、表示装置として、プロジェクターが用いられるが、表示装置は、液晶表示装置または有機ＥＬ（Electro Luminescence）表示装置のような、直視型の表示装置でもよい。
【符号の説明】
【００９８】
１…第１プロジェクター、２…第２プロジェクター、３…第１投射面、４…第２投射面、７…第３投射面、１１…第１投射部、１２…第１撮像部、１３…第１通信部、１４…第１記憶部、１５…第１処理部、２１…第２投射部、２２…第２撮像部、２３…第２通信部、２４…第２記憶部、２５…第２処理部、１５１…第１特定部、１５２…比較部、１５３…第１制御部、２５１…第２特定部、２５３…第２制御部。
【図１】
2020134610.tif 000003
【図２】
2020134610.tif 000004
【図３】
2020134610.tif 000005
【図４】
2020134610.tif 000006
【図５】
2020134610.tif 000007
【図６】
2020134610.tif 000008
【図７】
2020134610.tif 000009
【図８】
2020134610.tif 000010
【図９】
2020134610.tif 000011
【図１０】
2020134610.tif 000012
【図１１】
2020134610.tif 000013
【図１２】
2020134610.tif 000014
【図１３】
2020134610.tif 000015